(57)【要約】【課題】簡素な構成によってアクチュエータ可動部のローリングを抑制する事ができる光ピックアップ装置を提供する事。【解決手段】対物レンズを保持するレンズホルダ１と、フォーカスコイル３およびトラッキングコイル４と、ボビン基板８と、レンズホルダ１の外周に設けられた複数対のワイヤ位置決め部１ａとを有するアクチュエータ可動部２００と、永久磁石を保持するヨークベース９と、ヨークベース９に固定された支持部材とを有するベース部１００と、基端部が支持部材に固定され、先端部がワイヤ位置決め部１ａにより位置決めされた状態でレンズホルダ１に固定されて、永久磁石が上述のコイルに磁力を及ぼす位置にレンズホルダ１を移動可能に保持する複数対のワイヤと、アクチュエータ可動部を覆うアクチュエータカバー１１とを備え、アクチュエータ可動部２００は、ワイヤ位置決め部１ａの外周に突起であるワイヤプロテクタＤ１６を有する。【選択図】図９
2011210326.tif 000002
【特許請求の範囲】
【請求項１】
光ビームを集光する対物レンズを保持するレンズホルダと、前記レンズホルダに取り付けられたフォーカスコイルおよびトラッキングコイルと、前記フォーカスコイルおよび前記トラッキングコイルに通電するための回路基板と、前記レンズホルダの外周に設けられた複数対のワイヤ位置決め部と、を有するアクチュエータ可動部と、
永久磁石と、前記永久磁石を保持するヨークベースと、前記ヨークベースに固定された支持部材と、を有するベース部と、
基端部が前記支持部材に固定され、先端部が前記ワイヤ位置決め部により位置決めされた状態で前記レンズホルダに固定されて、前記永久磁石が前記フォーカスコイルおよび前記トラッキングコイルに磁力を及ぼす位置に前記レンズホルダを移動可能に保持する複数対のワイヤと、
前記ベース部に固定されて前記アクチュエータ可動部を覆うカバーと、を備え、
前記アクチュエータ可動部は、
前記ワイヤ位置決め部の外周に突起を有する、
光ピックアップ装置。
【請求項２】
前記突起は、トラッキング方向を基準軸とする外周方向に突出している、
請求項１記載の光ピックアップ装置。
【請求項３】
前記突起は、フォーカス方向を基準軸とする外周方向に突出している、
請求項１記載の光ピックアップ装置。
【請求項４】
前記突起は、トラッキング方向を基準軸とする外周方向およびフォーカス方向を基準軸とする外周方向のそれぞれに突出している、
請求項１記載の光ピックアップ装置。
【請求項５】
前記アクチュエータ可動部は、前記アクチュエータ可動部の中心に対してトラッキング方向に対称に配置された複数対の前記ワイヤ位置決め部を有する、
請求項１記載の光ピックアップ装置。
【請求項６】
前記アクチュエータ可動部は、前記アクチュエータ可動部の中心に対してフォーカス方向に対称に配置された複数対の前記ワイヤ位置決め部を有する、
請求項１記載の光ピックアップ装置。
【請求項７】
前記アクチュエータ可動部は、前記アクチュエータ可動部の中心に対してトラッキング方向およびフォーカシング方向にそれぞれ対称に配置された４つの前記ワイヤ位置決め部を有し、
前記突起は、前記４つのワイヤ位置決め部を結ぶ矩形の対角線をそれぞれ基準軸とする外周方向のそれぞれに突出している、
請求項５または請求項６に記載の光ピックアップ装置。
【発明の詳細な説明】
【技術分野】
【０００１】
本発明は、例えば車載用光ディスク装置の光ピックアップ装置等、外部から振動や衝撃が加わる事が想定される光ピックアップ装置に関する。
【背景技術】
【０００２】
光ディスクの情報読み取りは、アクチュエータ機構を用いた光ピックアップ装置を用いて行われる。従来の光ピックアップ装置のアクチュエータ機構としては、例えば特許文献１に記載されているものが知られている。以下、図面を参照しながら、従来の光ピックアップ装置のアクチュエータ機構およびその動作の一例について説明する。
【０００３】
図１０は従来の光ピックアップ装置のアクチュエータ機構の構成を示す上面図である。
【０００４】
光ピックアップ装置のアクチュエータ機構は、主に、ベース部１００と、ベース部１００上に位置制御可能に配置されたアクチュエータ可動部２００とから成る。
【０００５】
アクチュエータ可動部２００は、レンズホルダ１、対物レンズ２、フォーカスコイル３、およびトラッキングコイル４を有する。レンズホルダ１は、対物レンズ２を保持するホルダである。フォーカスコイル３は、レンズホルダ１自体をローレンツ力によってフォーカス方向に駆動するためのコイルであり、レンズホルダ１に巻かれている。トラッキングコイル４は、レンズホルダ１自体をローレンツ力によってトラッキング方向に駆動するためのコイルであり、レンズホルダ１に巻かれている。
【０００６】
レンズホルダ１の両側面には、片側２本ずつ計４本のワイヤ５が接合されている。これらのワイヤ５の各端部は、ベース部１００のワイヤ支持部材６に固定されている。すなわち、アクチュエータ可動部２００は、これらのワイヤ５により、片持ち状態でベース部１００に移動可能に支持されている。
【０００７】
ベース部１００には、開放側を上に向けて切り起こし部を２箇所設ける事によって形成される１対のヨーク１７が配置されている。そして、１対のヨーク１７の内側面には、対向する形でヨーク１７に固定された１対の永久磁石１０が配置され、磁気回路が構成される。
【０００８】
フォーカスコイル３およびトラッキングコイル４に通電があった時、ローレンツ力によってレンズホルダ１がフォーカス方向およびトラッキング方向に可動する。すなわち、光ピックアップ装置のアクチュエータ機構は、フォーカスコイル３およびトラッキングコイル４に必要電流を通電する事により、レンズホルダ１をフォーカス方向およびトラッキング方向に必要量だけ移動する事ができる構成となっている。これにより、対物レンズ２の位置のサーボ制御が可能となっている。
【０００９】
ところが、光ディスクの情報読み取りを行っている間、すなわちフォーカス方向駆動および／またはトラッキング方向駆動を行っている時に、衝撃等の外乱によりサーボが外れる場合がある。この場合、アクチュエータ可動部２００の過動が発生し、アクチュエータ機構が破損するおそれがある。例えば、アクチュエータ可動部２００がフォーカス方向に過動すると、光ディスクと衝突し、双方の傷つきや光ディスク装置の破損が発生し得る。また、アクチュエータ可動部２００がトラッキング方向に過動すると、コイルがヨーク１７と接触し、コイルの皮膜切れや断線が生じてショートするおそれがある。
【００１０】
このような事態を防止するため、特許文献１記載の装置は、ワイヤ支持部材６側のベース部１００上に単一のストッパ部材１８を設置している。これにより、特許文献１記載の装置は、フォーカス方向およびトラッキング方向へのアクチュエータ可動部２００の可動範囲を規制し、上記問題の発生の防止を図っている。
【先行技術文献】
【特許文献】
【００１１】
【特許文献１】特開２０００−１８２２６０号公報
【発明の概要】
【発明が解決しようとする課題】
【００１２】
ところで、車載用光ディスク装置等、移動体に設置される光ディスク装置の場合、振動や衝撃等によって、フォーカス方向やトラッキング方向等の一方向あるいは同位相の並進的な力のみならず、複合的な方向および位相を有する外力を受け易い。このような外力がアクチュエータ可動部２００に掛かると、アクチュエータ可動部２００にはローリングが発生し、ワイヤ５に断線が生じ易くなる。
【００１３】
この点について、詳細に説明する。仮に、フォーカス方向やトラッキング方向等の１方向のみの外力あるいは並進的な同位相の外力がアクチュエータ可動部２００に掛かった場合、ワイヤ５は、外力の合成成分の方向にのみ変位する。したがって、ワイヤ５が受ける応力は、このワイヤ変位に相応する曲げ応力のみである。
【００１４】
一方、上述の複合的な方向および位相を有する外力がアクチュエータ可動部２００に掛かった場合、アクチュエータ可動部２００にはローリングが発生し、ワイヤ５には、通常の曲げ応力に加えて、ねじり応力も生じる。ワイヤ５は、ねじり応力を受けると、断線が発生し易くなる。特に、ワイヤ５のうちアクチュエータ可動部２００との接合部近傍は、生じる応力が最大となる事から、断線が最も発生し易い。
【００１５】
したがって、アクチュエータ可動部２００のローリングは、上述の並進的な過動と同様に、できるだけ抑制される事が望ましい。
【００１６】
しかしながら、特許文献１記載の装置は、アクチュエータ可動部２００にローリングが発生するような環境での使用を想定したものではない。したがって、特許文献１記載のストッパ部材１８では、ローリングを抑制する事はできず、ローリングのねじり応力に起因するワイヤ断線の防止に関して有効に機能しない。
【００１７】
また、光ディスク装置の通電時には、サーボ制御による位置制御機能が働き、アクチュエータ可動部２００が過振幅となる事がある程度は抑制されるが、非通電時には、このような機能は働かない。
【００１８】
また、特に車載用光ディスク装置の場合、非通電時も外力を受けるだけでなく、上述の通り、ローリングを発生させる外力を受ける事が多いため、ワイヤ５の曲げ応力およびねじり応力の発生頻度およびその強度は高くなる。このような事態は、部品寿命および装置寿命の観点から好ましくない。
【００１９】
また、近年、光ディスク装置は、コストダウンの要求から部品点数削減が必須となっており、ローディング機構についても構成の簡素化が求められている。このような要求に応える機構を設計した結果、アクチュエータ可動部２００のローリングが生じ易くなる事が考えられる。
【００２０】
本発明の目的は、簡素な構成によってアクチュエータ可動部２００のローリングを抑制する事ができる光ピックアップ装置を提供する事である。
【課題を解決するための手段】
【００２１】
本発明の光ピックアップ装置は、光ビームを集光する対物レンズを保持するレンズホルダと、前記レンズホルダに取り付けられたフォーカスコイルおよびトラッキングコイルと、前記フォーカスコイルおよび前記トラッキングコイルに通電するための回路基板と、前記レンズホルダの外周に設けられた複数対のワイヤ位置決め部とを有するアクチュエータ可動部と、永久磁石と、前記永久磁石を保持するヨークベースと、前記ヨークベースに固定された支持部材とを有するベース部と、基端部が前記支持部材に固定され、先端部が前記ワイヤ位置決め部により位置決めされた状態で前記レンズホルダに固定されて、前記永久磁石が前記フォーカスコイルおよび前記トラッキングコイルに磁力を及ぼす位置に前記レンズホルダを移動可能に保持する複数対のワイヤと、前記ベース部に固定されて前記アクチュエータ可動部を覆うカバーとを備え、前記アクチュエータ可動部は、前記ワイヤ位置決め部の外周に突起を有する。
【発明の効果】
【００２２】
本発明によれば、アクチュエータ可動部が過動状態となったときに、突起がヨークベースおよびカバーに当接し、それ以上の過動が妨げられるので、アクチュエータ可動部のローリングを抑制する事ができる。また、ワイヤ位置決め部の外周に突起を設けるだけで済むため、このようなローリング抑制効果を簡素な構成で得る事ができる。
【図面の簡単な説明】
【００２３】
【図１】本発明の実施の形態１に係る光ピックアップ装置のアクチュエータ機構の構成を示す斜視図
【図２】本実施の形態１に係るアクチュエータ可動部の側面図
【図３】本実施の形態１におけるワイヤプロテクタによってアクチュエータ可動部のローリングが抑制される様子を示す図
【図４】本発明の実施の形態２に係るアクチュエータ可動部の側面図
【図５】本実施の形態２におけるワイヤプロテクタによってアクチュエータ可動部のローリングが抑制される様子を示す図
【図６】本発明の実施の形態３に係るアクチュエータ可動部の側面図
【図７】本実施の形態３におけるワイヤプロテクタによってアクチュエータ可動部のローリングが抑制される様子を示す図
【図８】本発明の実施の形態４に係るアクチュエータ可動部の側面図
【図９】本実施の形態４におけるワイヤプロテクタによってアクチュエータ可動部のローリングが抑制される様子を示す図
【図１０】従来の光ピックアップ装置のアクチュエータ機構の構成を示す上面図
【発明を実施するための形態】
【００２４】
以下、本発明の各実施の形態について、図面を参照して詳細に説明する。
【００２５】
（実施の形態１）
図１は、本実施の形態に係る光ピックアップ装置のアクチュエータ機構（以下適宜「アクチュエータ機構」という）の構成を示す斜視図である。ここでは、後述のアクチュエータカバーを取り外した状態におけるアクチュエータ機構の外観を示す。
【００２６】
図１に示すように、アクチュエータ機構は、レンズホルダ１、対物レンズ２、フォーカスコイル３、トラッキングコイル４、４つのワイヤ５、ワイヤ支持部材６、アクチュエータ基板７、１対のボビン基板８（１つは図示せず）、ヨークベース９、１対の永久磁石１０、およびアクチュエータカバー１１を有する。これらのうち、ヨークベース９、永久磁石１０、ワイヤ支持部材６、およびアクチュエータ基板７は、アクチュエータ機構のベース部１００を構成する。そして、レンズホルダ１、対物レンズ２、フォーカスコイル３、トラッキングコイル４、およびボビン基板８は、ベース部に対して可動するアクチュエータ可動部２００を構成する。
【００２７】
レンズホルダ１は、対物レンズ２を保持するホルダであり、液晶ポリマ等の樹脂材料で形成されている。レンズホルダ１の外周には、アクチュエータ可動部２００の中心に対してトラッキング方向およびフォーカシング方向にそれぞれ対称に配置された、４つのワイヤ位置決め部１ａ（うち１つは図示せず）が配置されている。
【００２８】
対物レンズ２は、所定の位置に載置された光ディスクのディスク面にレーザ光を集光するレンズである。
【００２９】
フォーカスコイル３は、ローレンツ力によってレンズホルダ１をフォーカス方向へ駆動するためのコイルであり、フォーカス方向を軸方向としてレンズホルダ１に捲回されている。
【００３０】
トラッキングコイル４は、ローレンツ力によってレンズホルダ１をトラッキング方向へ駆動するためのコイルであり、トラッキング方向を軸方向としてレンズホルダ１に捲回されている。
【００３１】
ワイヤ支持部材６は、ワイヤ５を支持するための部材であり、後述のヨークベース９に固定されている。
【００３２】
アクチュエータ基板７は、アクチュエータ機構のための回路パターンを形成した回路基板であり、ワイヤ支持部材６の外側面に取り付けられている。
【００３３】
ボビン基板８は、フォーカスコイル３およびトラッキングコイル４（以下適宜「コイル」と総称する）のための配線パターンを形成した回路基板であり、レンズホルダ１のトラッキング方向の両外側面（以下単に「両側面」という）の溝部に取り付けられている。
【００３４】
ヨークベース９は、磁性材料で形成された板状部材であり、光ディスク装置の内部に配置された光学台（図示せず）に固定されている。ヨークベース９は、中央に開放側を上に向けて切り起こし部を２箇所設ける事によって形成される１対のヨーク１７を有し、１対のヨーク１７の内側面に、１対の永久磁石１０を、対向する形で固定している。
【００３５】
４つのワイヤ５は、永久磁石１０がフォーカスコイル３およびトラッキングコイル４に磁力を及ぼす位置に、アクチュエータ可動部２００を片持ち状態でベース部１００に保持する。具体的には、各ワイヤ５は、例えばベリリウム銅を材料とする弾力性のある針金部材であり、その基端部がワイヤ支持部材６に固定され、その先端部がワイヤ位置決め部１ａにに位置決めされた状態でボビン基板８の半田付け用パターンに固定されている。
【００３６】
ワイヤ５を用いたアクチュエータ可動部２００のベース部１００に対する保持は、例えば以下のようにして行われる。各ワイヤ位置決め部１ａには、ワイヤ５を通すための案内穴が設けられている。また、ワイヤ支持部材６およびアクチュエータ基板７には、ワイヤ５を通すための貫通穴が４つ設けられている。組み立て時において、まず、ワイヤ５の先端部は、ワイヤ位置決め部１ａの案内穴を利用して位置決めされた後、ボビン基板８の半田付け用パターンに半田で固定される。そして、各ワイヤ５の基端部は、ワイヤ支持部材６およびアクチュエータ基板７の貫通穴に通され、アクチュエータ基板７上に半田で固定される。この貫通穴は、例えば円錐状になっており、中にゲル状物質が充填されている。
【００３７】
アクチュエータカバー１１は、ヨークベース９に固定されてアクチュエータ可動部２００を覆う。アクチュエータカバー１１は、光ピックアップ装置の光学部品に埃等の異物が入り込まないように保護する機能を持つと同時に、レンズホルダ１の移動の可動範囲を規制する機能をも併せ持つ。
【００３８】
このようにして位置決めされたアクチュエータ機構では、ヨークベース９と永久磁石１０とにより磁気回路が構成される。また、アクチュエータ可動部２００とヨークベース９およびアクチュエータカバー１１との間には、所定のクリアランスが確保される。そして、コイルに通電があった時、ローレンツ力によって、レンズホルダ１がフォーカス方向およびトラッキング方向に可動する。すなわち、アクチュエータ可動部２００がベース部１００に対して可動する。そして、光ディスク装置は、ヨークベース９を支持する上述の光学台を、トラバース機構（図示せず）によってディスク半径方向へ移動させ、ディスク上に記録された情報の信号を読み取る。
【００３９】
すなわち、アクチュエータ機構は、コイルに必要電流を通電する事により、アクチュエータ可動部２００をベース部１００に対してフォーカス方向およびトラッキング方向に必要量だけ移動する事ができる構成となっている。これにより、アクチュエータ機構は、対物レンズ２の光ディスクに対する位置のサーボ制御が可能となっていると共に、通電中におけるアクチュエータ可動部２００の並進的な過動およびローリングを抑制する事が可能となっている。
【００４０】
ところが、上述の通り、従来のアクチュエータ機構では、（特に非通電時の）ローリングを抑制する事ができない。そこで、本実施の形態に係るレンズホルダ１は、アクチュエータ可動部２００の各ワイヤ位置決め部１ａの外周に、ワイヤプロテクタＡ１２を設けている。
【００４１】
図２は、本実施の形態に係るアクチュエータ可動部２００をタンジェンシャル方向（フォーカス方向およびトラッキング方向に直交する方向）から見た側面図である。図１と同一部分には同一符号を付し、これについての説明を省略する。
【００４２】
ワイヤプロテクタＡ１２は、レンズホルダ１のワイヤ位置決め部１ａ（ワイヤ案内穴）の外部に形成された突起である。４つのワイヤプロテクタＡ１２は、それぞれ、トラッキング方向を基準軸とする外周方向に突出している。
【００４３】
ローリング時のアクチュエータ可動部２００の上方向と左右方向における可動範囲は、アクチュエータカバー１１とワイヤプロテクタＡ１２との間のクリアランスによる規制を受ける。また、ローリング時のアクチュエータ可動部２００の下方向における可動範囲は、ワイヤプロテクタＡ１２とヨークベース９との間のクリアランスによる規制を受ける。一方、タンジェンシャル方向を基準軸とした回転を考えた場合、ワイヤプロテクタＡ１２が突出することによって、アクチュエータ可動部２００の回転方向の可動範囲が狭くなるため、アクチュエータ可動部２００のローリングが抑制される事になる。また、ワイヤ５のうち、特にアクチュエータ可動部２００との接合部近傍にあるワイヤ位置決め部１ａにおいて、ねじり応力が最大となるが、まさにそのワイヤ位置決め部１ａにて可動範囲の規制が行われるため、ねじり応力によるワイヤ５断線を効果的に防止する事ができる。
【００４４】
ワイヤプロテクタＡ１２は、レンズホルダ１と一体的に同一の部材で形成されたものである事が望ましいが、衝撃を吸収可能な反発係数の小さい樹脂材料を用いたアウトサート成形により形成されたものであっても良い。
【００４５】
図３は、ワイヤプロテクタＡ１２によってアクチュエータ可動部２００のローリングが抑制される様子を示す図である。ここでは、ローリングが発生しているときのアクチュエータ機構を、タンジェンシャル方向から見た概略断面図で示す。
【００４６】
外力によりアクチュエータ可動部２００にローリングが発生すると、図３に示すように、レンズホルダ１がワイヤ５に垂直な断面内で回転する。このとき、ワイヤ５にはねじり応力が加わる。
【００４７】
ところが、図３に示すように、レンズホルダ１の回転は、ワイヤプロテクタＡ１２がヨークベース９およびアクチュエータカバー１１に当接する事によって制限される。ここでは、紙面左下に位置するワイヤプロテクタＡ１２がアクチュエータカバー１１に当接し、紙面右下に位置するワイヤプロテクタＡ１２がヨークベース９に当接した状態を示す。このように、アクチュエータ機構は、アクチュエータ可動部２００のローリングが発生した場合に、ワイヤプロテクタＡ１２を設けた事により、アクチュエータ可動部２００の回転角度を抑制する事ができ、ワイヤ５に加わるねじり応力を緩和する事ができる。特に、図３に示すように２つの部位が同時にヨークベース９およびアクチュエータカバー１１に当接する事により、より高いローリング抑制効果を得る事ができる。
【００４８】
なお、ここでは、アクチュエータカバー１１はワイヤプロテクタＡ１２の上方で開口しているため（図１参照）、ワイヤプロテクタＡ１２はアクチュエータカバー１１の上側の面には当接しない。しかし、アクチュエータカバー１１がワイヤプロテクタＡ１２の上方を覆う形状となっている場合には、例えば、図３において紙面左上に位置するワイヤプロテクタＡ１２がアクチュエータカバー１１の上面に当接し、ローリングが更に抑制される事になる。
【００４９】
以上のように、本実施の形態に係る光ピックアップ装置は、アクチュエータ機構において、レンズホルダ１のワイヤ位置決め部１ａの外周に、トラッキング方向を基準軸とする外周方向に突出する突起であるワイヤプロテクタＡ１２を有している。これにより、本実施の形態に係る光ピックアップ装置は、非通電時にアクチュエータ可動部２００のローリングが発生した場合に、アクチュエータ可動部２００のローリングの可動範囲を規制する事ができ、部品故障の発生を防止する事ができる。すなわち、本実施の形態に係る光ピックアップ装置は、振動や衝撃に対して高い信頼性を確保する事ができる。
【００５０】
（実施の形態２）
図４は、本発明の実施の形態２に係るアクチュエータ機構のアクチュエータ可動部２００を、タンジェンシャル方向から見た側面図であり、実施の形態１の図２に対応するものである。図２と同一部分には同一符号を付し、これについての説明を省略する。本実施の形態に係るアクチュエータ機構の実施の形態１に係るアクチュエータ機構との違いは、ワイヤプロテクタの突出する方向のみである。
【００５１】
図４に示すように、本実施の形態におけるワイヤプロテクタＢ１３は、レンズホルダ１のワイヤ位置決め部１ａの外周に、フォーカス方向を基準軸とする外周方向に突出して配置されている。
【００５２】
図５は、ワイヤプロテクタＢ１３によってアクチュエータ可動部２００のローリングが抑制される様子を示す図であり、実施の形態１の図３に対応するものである。
【００５３】
図５に示すように、レンズホルダ１の回転は、ワイヤプロテクタＢ１３がヨークベース９およびアクチュエータカバー１１に当接する事によって制限される。ここでは、紙面左下に位置するワイヤプロテクタＢ１３がアクチュエータカバー１１に当接し、紙面右下に位置するワイヤプロテクタＢ１３がヨークベース９に当接した状態を示す。
【００５４】
このように、アクチュエータ機構は、フォーカス方向を基準軸とする外周方向に突出したワイヤプロテクタを設ける事によっても、アクチュエータ可動部２００のローリングを抑制する事ができる。
【００５５】
なお、ここでは、アクチュエータカバー１１はワイヤプロテクタＢ１３の上方で開口しているため（図１参照）、ワイヤプロテクタＢ１３はアクチュエータカバー１１の上側面には当接しない。しかし、アクチュエータカバー１１がワイヤプロテクタＢ１３の上方を覆う形状となっている場合には、例えば、図５において紙面左上に位置するワイヤプロテクタＢ１３がアクチュエータカバー１１の上側面に当接し、ローリングが更に抑制される事になる。
【００５６】
（実施の形態３）
図６は、本発明の実施の形態３に係るアクチュエータ機構のアクチュエータ可動部２００を、タンジェンシャル方向から見た側面図であり、実施の形態１の図２および実施の形態２の図４に対応するものである。図２および図４と同一部分には同一符号を付し、これについての説明を省略する。本実施の形態に係るアクチュエータ機構は、実施の形態１のワイヤプロテクタと実施の形態２のワイヤプロテクタとを組み合わせた構成を有する。
【００５７】
図６に示すように、本実施の形態におけるワイヤプロテクタＣＦ１４は、フォーカス方向を基準軸とする外周方向に突出して配置されている。また、本実施の形態におけるワイヤプロテクタＣＴ１５は、レンズホルダ１のワイヤ位置決め部１ａの外周に、トラッキング方向を基準軸とする外周方向に突出して配置されている。
【００５８】
図７は、ワイヤプロテクタＣＦ１４およびワイヤプロテクタＣＴ１５によってアクチュエータ可動部２００のローリングが抑制される様子を示す図であり、実施の形態１の図３および実施の形態１の図５に対応するものである。
【００５９】
図７に示すように、レンズホルダ１の回転は、ワイヤプロテクタＣＦ１４およびワイヤプロテクタＣＴ１５がヨークベース９およびアクチュエータカバー１１に当接する事によって制限される。ここでは、紙面左下に位置するワイヤプロテクタＣＴ１５がアクチュエータカバー１１に当接し、紙面右下に位置するワイヤプロテクタＣＦ１４およびワイヤプロテクタＣＴ１５がヨークベース９に当接した状態を示す。
【００６０】
このように、アクチュエータ機構は、トラッキング方向を基準軸とする外周方向およびフォーカス方向を基準軸とする外周方向のそれぞれに突出したワイヤプロテクタを設ける事によっても、アクチュエータ可動部２００のローリングを抑制する事ができる。
【００６１】
なお、ここでは、アクチュエータカバー１１はワイヤプロテクタＣＦ１４およびワイヤプロテクタＣＴ１５の上方で開口しているため（図１参照）、ワイヤプロテクタＣＦ１４およびワイヤプロテクタＣＴ１５はアクチュエータカバー１１の上側面には当接しない。しかし、アクチュエータカバー１１がワイヤプロテクタＣＦ１４およびワイヤプロテクタＣＴ１５の上方を覆う形状となっている場合には、例えば、図７において紙面左上に位置するワイヤプロテクタＣＦ１４がアクチュエータカバー１１の上側面に当接し、ローリングが更に抑制される事になる。
【００６２】
（実施の形態４）
図８は、本発明の実施の形態４に係るアクチュエータ機構のアクチュエータ可動部２００を、タンジェンシャル方向から見た側面図であり、実施の形態１の図２、実施の形態２の図４、および実施の形態３の図６に対応するものである。図２、図４、および図６と同一部分には同一符号を付し、これについての説明を省略する。本実施の形態に係るアクチュエータ機構の実施の形態１〜実施の形態３に係るアクチュエータ機構との違いは、ワイヤプロテクタの突出する方向のみである。
【００６３】
図８に示すように、本実施の形態におけるワイヤプロテクタＤ１６は、４つのワイヤ位置決め部１ａを結ぶ矩形の対角線をそれぞれ基準軸とする外周方向のそれぞれに突出している。
【００６４】
図９は、ワイヤプロテクタＤ１６によってアクチュエータ可動部２００のローリングが抑制される様子を示す図であり、実施の形態１の図３、実施の形態２の図５、および実施の形態３の図７に対応するものである。
【００６５】
図９に示すように、レンズホルダ１の回転は、ワイヤプロテクタＤ１６がヨークベース９およびアクチュエータカバー１１に当接する事によって制限される。ここでは、紙面左下に位置するワイヤプロテクタＤ１６がアクチュエータカバー１１に当接し、紙面右下に位置するワイヤプロテクタＤ１６がヨークベース９に当接した状態を示す。
【００６６】
このように、アクチュエータ機構は、４つのワイヤ位置決め部１ａを結ぶ矩形の対角線をそれぞれ基準軸とする外周方向のそれぞれに突出したワイヤプロテクタを設ける事によっても、アクチュエータ可動部２００のローリングを抑制する事ができる。
【００６７】
なお、ここでは、アクチュエータカバー１１はワイヤプロテクタＤ１６の上方で開口しているため（図１参照）、ワイヤプロテクタＤ１６はアクチュエータカバー１１の上側面には当接しない。しかし、アクチュエータカバー１１がワイヤプロテクタＤ１６の上方を覆う形状となっている場合には、例えば、図９において紙面左上に位置するワイヤプロテクタＤ１６がアクチュエータカバー１１の上側面に当接し、ローリングが更に抑制される事になる。
【００６８】
なお、以上説明した実施の形態１〜実施の形態４では、ワイヤ位置決め部が４つの場合について説明したが、ワイヤ位置決め部の個数はこれに限定されない。また、突起であるワイヤプロテクタを全てのワイヤ位置決め部に設ける場合について説明したが、必ずしもワイヤプロテクタを全てのワイヤ位置決め部に設けなくても良い。また、ワイヤプロテクタは、ワイヤプロテクタを含むアクチュエータ可動部の重心位置が対物レンズ２の中心近傍となるように設けられる事が望ましい。例えば、ワイヤプロテクタは、アクチュエータ可動部の中心に対しトラッキング方向およびフォーカス方向のそれぞれにおいて対称となるような位置および形状で、設けられる事が望ましい。
【００６９】
また、突起は、各実施の形態で示した形状および突出方向以外の形状および突出方向であっても良い。但し、突起は、アクチュエータ可動部にローリングが発生したときに、アクチュエータ可動部の他の各部に先んじて、アクチュエータ可動部を覆う周囲の部材に当接する形状および突出方向である事が望ましい。
【産業上の利用可能性】
【００７０】
本発明に係る光ピックアップ装置は、簡素な構成によってアクチュエータ可動部のローリングを抑制する事ができる光ピックアップ装置として有用である。すなわち、本発明に係る光ピックアップ装置は、アクチュエータ機構において、装置非通電時に外力によるローリング発生に伴う、曲げ応力とねじり応力の影響を抑制し、故障発生確率を下げ、振動および衝撃に対する高い信頼性を確保する事ができる。したがって、本発明に係る光ピックアップ装置は、車載用音響機器や車載用ナビゲーション装置に好適である。
【符号の説明】
【００７１】
１  レンズホルダ
１ａ  ワイヤ位置決め部
２  対物レンズ
３  フォーカスコイル
４  トラッキングコイル
５  ワイヤ
６  ワイヤ支持部材
７  アクチュエータ基板
８  ボビン基板
９  ヨークベース
１０  永久磁石
１１  アクチュエータカバー
１２  ワイヤプロテクタＡ
１３  ワイヤプロテクタＢ
１４  ワイヤプロテクタＣＦ
１５  ワイヤプロテクタＣＴ
１６  ワイヤプロテクタＤ
１７  ヨーク
１８  ストッパ部材
１００  ベース部
２００  アクチュエータ可動部
【図１】
2011210326.tif 000003
【図２】
2011210326.tif 000004
【図３】
2011210326.tif 000005
【図４】
2011210326.tif 000006
【図５】
2011210326.tif 000007
【図６】
2011210326.tif 000008
【図７】
2011210326.tif 000009
【図８】
2011210326.tif 000010
【図９】
2011210326.tif 000011
【図１０】
2011210326.tif 000012